(57)【要約】【課題】タブ取付時の形態を小型にすることでスペースを有効活用でき且つ低コストとなるとともに、カップリングに対する取付力が十分に確保され、さらに挿脱時のタブ本体の傾きを防止できてカップリングに対するバランスの良い着脱が可能となる光コネクタ用タブを提供する。【解決手段】タブ２は、カップリング１３の後端に形成された複数の係止孔１３ａそれぞれに脱着自在に装着保持されるよう複数本のアーム５を先端に係止部５ａを備えた操作部材３と、該操作部材３の後部から延設した把持部材４とを備え、該把持部材４の進退に伴う前記操作部材３の操作によってカップリング１３がハウジング１８に対し前進又は後退するとともに、プラグ本体１を前方に押圧又は後方に押圧を解除するように構成した。【選択図】図６
2019053123.tif 000002
【特許請求の範囲】
【請求項１】
フェルールと、前記フェルールを先端に収納したハウジングと、前記ハウジングに対してその前後方向にスライド可能に外嵌されるとともに、常時前方へ弾性付勢されたカップリングと、前記ハウジング後端に内挿されたスプリングプッシュとを備え、前記カップリングが前進することによってアダプタ内部の弾性係止部に対する係止が保持され、後退することによってアダプタ内部の弾性係止部に対する係止が解除され引き抜きが可能となるアダプタと光コネクタプラグの係合離脱用の光コネクタ用タブであって、この光コネクタ用タブは、前記カップリングの後端に形成された複数の係止孔それぞれに脱着自在に装着保持されるよう複数本のアームを先端に備えた操作部材と、該操作部材の後部から延設した把持部材とを備え、該把持部材の進退に伴う前記操作部材の操作によって前記カップリングが前記ハウジングに対し前進又は後退するとともに、光コネクタプラグを前方に押圧又は後方に押圧を解除するものとしたことを特徴とする光コネクタ用タブ。
【請求項２】
前記各アームは、前記光コネクタプラグのカップリング内側に挿入して保持させるよう平面視と側面視の双方で略コ字型を呈するよう上下左右に所定の間隔をおいて形成してなることを特徴とする請求項１記載の光コネクタ用タブ。
【請求項３】
前記各アームは、前記カップリングの後端に押圧し、当該カップリングを前進後、カップリング内側から前記係止孔に係脱可能に係止するための係止部と、前記カップリングを除く光コネクタプラグの後部に押圧し、該光コネクタプラグを前進後、前記アダプタに係脱自在に係合させるための押圧部とを具備してなることを特徴とする請求項１又は２記載の光コネクタ用タブ。
【請求項４】
前記アームは、少なくとも合計４本存していることを特徴とする請求項１乃至３記載の光コネクタ用タブ。
【請求項５】
前記各アーム先端の係止部は、左右上下のアーム先端に互いに外向きに向けた状態で形成された係止爪からなることを特徴とする請求項１乃至４記載の光コネクタ用タブ。
【請求項６】
前記係止部の係止爪は、前記カップリングの後端を押圧し、カップリングの前記係止孔に係止するよう前記アームの先端に形成され、前記押圧部は、前記係止部の係止爪の係入と同時に光コネクタプラグを押圧するようアーム途中に所定の距離をおいて後方に形成されてなることを特徴とする請求項５記載の光コネクタ用タブ。
【請求項７】
前記各アームの押圧部は、先端が光コネクタプラグのカップリング以外の部位に突き当たり押圧可能な押圧突起にて形成されてなることを特徴とする請求項３又は６記載の光コネクタ用タブ。
【請求項８】
前記操作部材は、前記把持部材の先端に略への字形状となって折曲連接され、当該操作部材を把持部材に対して下位置に配置し、前記操作部材下方には、光コネクタプラグ後端の多心光ファイバコードまで直線状に保持できるよう湾曲状の挿通部を形成してなることを特徴とする請求項１記載の光コネクタ用タブ。
【請求項９】
前記操作部材の後端に延設された把持部材若しくは前記操作部材の後端に中間部材を介して延設された把持部材内側に針金等の折曲調整材を挿入してなることを特徴とする請求項１又は８記載の光コネクタ用タブ。
【請求項１０】
前記把持部材の下側に光コネクタプラグ後端の多心光ファイバコードを保持する保持部を具備してなることを特徴とする請求項１、請求項８又は９記載の光コネクタ用タブ。
【発明の詳細な説明】
【技術分野】
【０００１】
本発明は、主として光コネクタアダプタ（以下にアダプタと略称する）に接続されるＭＰＯ型のプッシュプル方式による光コネクタプラグ（以下にプラグ本体と略称する）の当該プラグ本体をアダプタに係脱自在に装着するのに好適な光コネクタ用タブに関する。
【背景技術】
【０００２】
光コネクタフェルールの接続作業性の向上等に鑑みて、近年では、いわゆるＭＰＯコネクタ（ＪＩＳ−Ｃ５９８２規格等に制定される多心光コネクタフェルールをプラスチック製ハウジング内部に収納した構造の光コネクタ）が提供されている。
【０００３】
従来、ＭＰＯ型のプラグ本体１は、後述する図１７（ａ）、（ｂ）に示すように、スリーブ状のハウジング１８の先端（前端）に、多心光ファイバコードＦＴ先端に取り付けられたフェルール１２を収納している。そして、このハウジング１８内には、前記フェルール１２をプラグ本体１前側へ弾性付勢するスプリング１５を具備している。
【０００４】
さらに、前記ＭＰＯ型のプラグ本体１は、スプリング収納凹部１７付きのハウジング１８と、前記ハウジング１８に対してその軸線方向に確保した可動範囲でスライド移動可能に外嵌され且つ前記ハウジング１８の凹部１７に収納されたスプリング１６にてプラグ本体１前側へ弾性付勢された筒状のカップリング１３と、前記ハウジング１８の前記フェルール１２が設けられている前端とは反対の後端部に取り付けられたスプリングプッシュ１１と、前記スプリングプッシュ１１の後端に外挿されたブーツ１９と、を具備している。
【０００５】
前記プラグ本体１のアダプタ２１に対する装着は、当該プラグ本体１における前記カップリング１３から後側に位置する部分、例えばブーツ１９を作業者が手指でアダプタ２１に向かって挿入して行うものとなっている。
【０００６】
一方、前記プラグ本体１のアダプタ２１からの抜去は、前記スプリング１６の弾性付勢力に抗して前記ブーツ１９側に前記カップリング１３を引き込むことで行うものとなっている。
【０００７】
例えば、先ず、図１７（ｂ）に示すように、プラグ本体１のハウジング１８先端側をアダプタ２１に強制的に挿入すると、アダプタ２１の弾性係止部２２によってカップリング１３先端が押されて当該カップリング１３をいったん後退する。このとき、アダプタ２１内部においてはカップリング１３先端が入り込むための空間２２ｂが空き状態となって、弾性係止部２２が上下動可能となったフリー状態となる。このため、前記プラグ本体１をアダプタ２１に挿し込むことで、弾性係止部２２の係止突起２２ａが前記空間２２ｂ内に上動してアダプタ２１に対してプラグ本体１が係合可能な状態となる。
【０００８】
しかし、このままでは前記プラグ本体１を強制的に引っ張ることで、フリー状態にある弾性係止部２２の係止突起２２ａが空間２２ｂ内に上動するため当該アダプタ２１は簡単に抜けてしまう。そこで、前記空間２２ｂを塞ぐためにカップリング１３を前進させることで当該空間２２ｂを閉鎖させる。
【０００９】
而して、前記カップリング１３は、既述した如くスプリングストッパ１３ｂに係止されるとともに、凹部１７に収納されたスプリング１６によってハウジング１８前側へ常時付勢されているために、当該カップリング１３を前進位置に保持された状態になっている。これによって、前記アダプタ２１の弾性係止部２２の空間２２ｂはカップリング１３の先部によって遮蔽保持され係止突起２２ａの上動が阻止されるため前記アダプタ２１の弾性係止部２２に対してプラグ本体１の係止凸部３１が係止され引き抜きが防止される。
【００１０】
前記プラグ本体１を脱去する際には、カップリング１３を前進位置に保持されている状態から、カップリング１３に手指等を引っ掛けて、当該カップリング１３を強制的に後退移動させて、前記カップリング１３先端が入り込むためのアダプタ２１内部の空間２２ｂを空き状態にする。
【００１１】
すなわち、前記カップリング１３を後方へスライドさせると、前記アダプタ２１の弾性係止部２２の係止突起２２ａが係合されている状態の引っ掛かり部３１ａ及び係止凸部３１が露出され、この状態で前記プラグ本体１を強制的に引き抜くことで、前記引っ掛かり部３１ａに食い込んで係止凸部３１に係合されていた弾性係止部２２の係止突起２２ａは前記空間２２ｂによって拡開しつつ係止凸部３１を乗り越えて解放される。
【００１２】
そして、前記アダプタ２１に対するプラグ本体１の引き抜き後には、手指等を前記カップリング１３から解放することで、当該カップリング１３がスプリング１６によって弾性的に前進復帰する。
【００１３】
ところで、近年、図１６に示すように、各種のデータセンタ等において通信装置の高密度化が必須となってきている状況下、１本１本、手を入れてアダプタ２１にプラグ本体１を挿し込んだり、あるいは引き抜く操作（係脱操作）では、面倒な手間と時間が掛かり作業性が極めて悪いものであった。
【００１４】
そこで、従来では、光コネクタの高密度化の下で、多数のプラグ本体１を挿し込んだり、あるいは引き抜く操作（係脱操作）の効率を良くするために、タブを使って当該プラグ本体１を係脱操作することが行われている。
【００１５】
すなわち、この種タブとしては、先端にコ字形カバー状のタブ本体と、その後端に設けられた把持部材とを備え、プラグ本体１のカップリング１３外側にタブ本体を嵌合し、把持部材を操作することによってタブ本体を前後動させ、カップリング１３と共にプラグ本体１をアダプタ２１に対して係脱動作させる。
【００１６】
具体的には、特許文献１及び特許文献２に示すように、タブ本体が略コ字形に形成され、この挿入開放部から前記カップリング１３を内挿嵌合するようにした光コネクタアダプタが公知である。
【００１７】
さらに、特許文献３に示すように、タブ本体が二股とした薄板ハ字形のバネ部材となって形成され、前記カップリング１３の左右外壁面をこのバネ部材で挟持するようにした光コネクタタブが公知である。
【先行技術文献】
【特許文献】
【００１８】
【特許文献１】米国特許第９，０５２，４７４号公報
【特許文献２】米国特許第９，２３９，４３７号公報
【特許文献３】米国特許第９，１０３，９９６号公報
【発明の概要】
【発明が解決しようとする課題】
【００１９】
しかしながら、上記した特許文献１及び特許文献２は、タブ本体をプラグ本体（ＭＰＯプラグ）のほぼ外側全体を覆うように嵌合させるため、タブ本体の全体が大型化する。このため、タブ取付時の光コネクタ全体形態も大型で煩雑化し、スペースの無駄やコスト高となる欠点がある。
【００２０】
また、上記した特許文献３の場合は、薄板状のバネ部材による先端のタブ本体をプラグ本体の両側から挟むようにして取付ける。このとき、プラグ本体両側の突部にバネ部材先端の孔部を嵌合するため、取付力が弱くてプラグ本体から外れ易いという欠点がある。
【００２１】
そこで、本発明は、叙上のような従来存した諸事情に鑑み案出されたもので、各種のデータセンタ等の通信装置の高密度化において、タブ取付時の形態を小型にすることでスペースを有効活用でき且つ低コストとなるとともに、カップリングに対する取付力が十分に確保され、さらに係脱時のタブ本体の傾きを防止できてカップリングに対するバランスの良い着脱が可能となる光コネクタ用タブを提供することを目的とする。
【課題を解決するための手段】
【００２２】
上述した課題を解決するために、本発明にあっては、フェルールと、前記フェルールを先端に収納したハウジングと、前記ハウジングに対してその前後方向にスライド可能に外嵌されるとともに、常時前方へ弾性付勢されたカップリングと、前記ハウジング後端に内挿されたスプリングプッシュとを備え、前記カップリングが前進することによってアダプタ内部の弾性係止部に対する係止が保持され、後退することによってアダプタ内部の弾性係止部に対する係止が解除され引き抜きが可能となるアダプタと光コネクタプラグの係合離脱用の光コネクタ用タブであって、この光コネクタ用タブは、前記カップリングの後端に形成された複数の係止孔それぞれに脱着自在に装着保持されるよう複数本のアームを先端に備えた操作部材と、該操作部材の後部から延設した把持部材とを備え、該把持部材の進退に伴う前記操作部材の操作によって前記カップリングが前記ハウジングに対し前進又は後退するとともに、光コネクタプラグを前方に押圧又は後方に押圧を解除するものとしたことを特徴とする。
【００２３】
前記各アームは、前記光コネクタプラグのカップリング内側に挿入して保持させるよう平面視と側面視の双方で略コ字型を呈するよう上下左右に所定の間隔をおいて形成してなることを特徴とする。
【００２４】
前記各アームは、前記カップリングの後端に押圧し、当該カップリングを前進後、カップリング内側から前記係止孔に係脱可能に係止するための係止部と、前記カップリングを除く光コネクタプラグの後部に押圧し、該光コネクタプラグを前進後、前記アダプタに係脱自在に係合させるための押圧部とを具備してなることを特徴とする。
【００２５】
前記アームは、少なくとも合計４本存していることを特徴とする。
【００２６】
前記各アーム先端の係止部は、左右上下のアーム先端に互いに外向きに向けた状態で形成された係止爪からなることを特徴とする。
【００２７】
前記係止部の係止爪は、前記カップリングの後端を押圧し、カップリングの前記係止孔に係止するよう前記アームの先端に形成され、前記押圧部は、前記係止部の係止爪の係入と同時に光コネクタプラグを押圧するようアーム途中に所定の距離をおいて後方に形成されてなることを特徴とする。
【００２８】
前記各アームの押圧部は、先端が光コネクタプラグのカップリング以外の部位に突き当たり押圧可能な押圧突起にて形成されてなることを特徴とする。
【００２９】
前記操作部材は、前記把持部材の先端に略への字形状となって折曲延接され、当該操作部材を把持部材に対して下位置に配置し、前記操作部材下方には、光コネクタプラグ後端の多心光ファイバコードまで直線状に保持できるよう湾曲状の挿通部を形成してなることを特徴とする。
【００３０】
前記操作部材の後端に延設された把持部材若しくは前記操作部材の後端に中間部材を介して延設された把持部材内部に針金等の折曲調整材を挿入してなることを特徴とする。
【００３１】
前記把持部材の下側に光コネクタプラグ後端の多心光ファイバコードを保持する保持部を具備してなることを特徴とする。
【発明の効果】
【００３２】
本発明によれば、各種のデータセンタ等の通信装置の高密度化において、タブ取付時の形態を小型にすることでスペースを有効活用でき且つ低コストとなるとともに、カップリングに対する取付力が十分に確保され、さらに挿脱時のタブ本体の傾きを防止できてカップリングに対するバランスの良い着脱が可能となる。
【００３３】
すなわち、本発明は、光コネクタ用タブが、前記カップリングの後端に形成された複数の係止孔それぞれに脱着自在に装着保持されるよう複数本のアームを先端に備えた操作部材と、該操作部材の後部から延設した把持部材とを備え、該把持部材の進退に伴う前記操作部材の操作によって前記カップリングが前記ハウジングに対し前進又は後退するとともに、光コネクタプラグを前方に押圧又は後方に押圧を解除するものとしたので、タブ取付時の形態を小型にすることができ、スペースの有効活用とともに低コストとなる光コネクタ用タブを容易に提供することができる。
【００３４】
前記各アームは、前記光コネクタプラグのカップリング内側に挿入して保持させるよう平面視と側面視の双方で略コ字型を呈するよう上下左右に所定の間隔をおいて形成してなるので、光コネクタプラグに対する装着又は抜脱が前記カップリングの内側から行なえ、これによって、高密度化による狭小スペースにおいても前記操作が容易且つスムーズに行うことができる。
【００３５】
前記各アームは、前記カップリングの後端に押圧し、当該カップリングを前進後、カップリング内側から前記係止孔に係脱可能に係止するための係止部と、前記カップリングを除く光コネクタプラグの後部に押圧し、該光コネクタプラグを前進後、前記アダプタに係脱自在に係合させるための押圧部とを具備してなるので、各アーム全体の強度アップが図れる。
【００３６】
前記アームは、少なくとも合計４本存しているので、前記アダプタに対する係脱時のタブ本体の傾きを防止できてカップリングに対するバランスの良い着脱が可能となる。
【００３７】
前記各アーム先端の係止部は、左右上下のアーム先端に互いに外向きに向けた状態で形成された係止爪からなるので、カップリングに対する取付力が十分に確保される。
【００３８】
前記係止部の係止爪は、前記カップリングの後端を押圧し、カップリングの前記係止孔に内側から係止するよう前記アームの先端に形成され、前記押圧部は、前記係止部の係止爪の係入と同時に光コネクタプラグを押圧するようアーム途中に所定の距離をおいて後方に形成されてなるので、光コネクタ用タブをカップリングに装着したままの状態で光コネクタプラグを容易に押圧及び押圧解除をすることができる。
【００３９】
前記各アームの押圧部は、先端が光コネクタプラグのカップリング以外の部位に突き当たり押圧可能な押圧突起にて形成されてなるので、光コネクタプラグを当該押圧突起によって的確且つ確実に押圧及び押圧解除をすることができる。
【００４０】
前記操作部材は、前記把持部材の先端に略への字形状となって折曲連接され、当該操作部材を把持部材に対して下位置に配置し、前記操作部材下方には、光コネクタプラグ後端の多心光ファイバコードまで直線状に保持できるよう湾曲状の挿通部を形成してなるので、光コードは前記挿通部の真後において前記把持部材の下側に沿って曲がりなく確実に保持することができる。
【００４１】
前記操作部材の後端に延設された把持部材若しくは前記操作部材の後端に中間部材を介して延設された把持部材内部に針金等の折曲調整材を挿入してなるので、多心光ファイバコードの曲がり方向へ追従して本タブの把持部材を折曲調整することが確実且つ容易にできる。
【００４２】
前記把持部材の下側に光コネクタプラグ後端の多心光ファイバコードを保持する保持部を具備してなるものであるから、本タブの取付け時に多心光ファイバコード後端が垂れ下ることなくしっかりと固定保持させることができる。
【図面の簡単な説明】
【００４３】
【図１】本発明を実施するための一形態を示す光コネクタ用タブの斜視図である。
【図２】同じく光コネクタ用タブの一形態を示し、（ａ）は正面図、（ｂ）は背面図である。
【図３】同じく光コネクタ用タブの一形態を示し、（ａ）は平面図、（ｂ）は底面図である。
【図４】同じく光コネクタ用タブの一形態を示し、（ａ）は右側面図、（ｂ）は左側面図である。
【図５】同じく光コネクタ用タブの使用状態を示し、（ａ）は平面図、（ｂ）は底面図、（ｃ）は右側面図である。
【図６】同じく光コネクタ用タブのプラグ本体（カップリング）への装着途中の状態を示す斜視図である。
【図７】本発明の変形例における光コネクタ用タブを示し、（ａ）は平面図、（ｂ）は側面図、（ｃ）は背面図である。
【図８】同じく本発明の変形例における光コネクタ用タブの使用状態を示し、（ａ）は平面図、（ｂ）は側面図である。
【図９】本発明の変形例における光コネクタ用タブの把持部材に針金等を内挿して折曲可能とした場合の使用状態を示し、（ａ）は直線状態の側面図、（ｂ）は折曲状態の側面図である。
【図１０】光コネクタ用タブのプラグ本体のカップリングへの装着途中において係止爪の係止前にカップリング後端に係止爪先端が突き当たった状態を示すもので、（ａ）は平面図、（ｂ）は（ａ）のＡ−Ａ断面図である。
【図１１】光コネクタ用タブの係止爪がカップリングの係止孔に挿入された状態を示すもので、（ａ）は平面図、（ｂ）は（ａ）のＢ−Ｂ断面図である。
【図１２】光コネクタ用タブの係止爪がカップリングの係止孔の後端内側に突き当て、プラグ本体をアダプタから引き抜く途中の状態を示すもので、（ａ）は平面図、（ｂ）は（ａ）のＣ−Ｃ断面図である。
【図１３】光コネクタ用タブの押圧部（押圧突起）をプラグ本体の後端（カップリングには触れない）に突き当て、アダプタにプラグ本体を係合（装着）した状態を示すもので、（ａ）は平面図、（ｂ）は（ａ）のＤ−Ｄ断面図である。
【図１４】アダプタ本体をアダプタから引き抜いた光コネクタ用タブの押圧部（押圧突起）の位置を示すもので、（ａ）は平面図、（ｂ）は（ａ）のＥ−Ｅ断面図である。
【図１５】本発明における光コネクタの高密度化によるアダプタに対する光コネクタ用タブの使用状態の斜視図である。
【図１６】従来例における光コネクタの高密度化によるアダプタにプラグ本体を装着した状態の斜視図である。
【図１７】従来例におけるアダプタと光コネクタプラグの係脱状態を示す断面図を示すもので、（ａ）はカップリングを前進させてプラグ本体をアダプタに装着した状態の断面図である。（ｂ）はカップリングを後退させてプラグ本体をアダプタから抜き出した状態の断面図である。
【発明を実施するための形態】
【００４４】
以下、図面を参照して本発明に係る光コネクタ用タブの実施の一形態を詳細に説明する。
【００４５】
＜光コネクタ用タブの構成＞
本発明に係る光コネクタ用タブ２（以下タブ２と略称する）は、図１乃至図６に示すように、プラグ本体１の前記カップリング１３後端に形成された複数の係止孔１３ａ（図５（ａ）及び（ｂ）、図６参照）それぞれに脱着自在に装着保持される複数本（少なくとも合計４本）のアーム５を先端に備えた操作部材３と、該操作部材３の後部から略への字状となって折曲延設した把持部材４とを備えている。
【００４６】
前記把持部材４は、図１乃至図４に示すように、薄板状でその左右側面が内側に湾曲した指摘み部４ａとなっており、上面にはシール貼り付け部４ｂと、紐の付いた識別タブを取付けるための紐通し穴４ｃを有している。
【００４７】
前記各アーム５は、図１乃至図４、及び図６に示すように、前記把持部材４先端から上側テーパ面８ａ及び下側テーパ面８ｂを介して前方に向けて突設されており、平面視と側面視の双方で略コ字型を呈するよう上側の凹湾部７ａ及び左右側の凹湾部７ｂを介して、上下左右に所定の間隔をおいて形成されている。これにより、下側のコ字開放側をプラグ本体１に上方から挿入して、各アーム５相互間において開放されている挿通部９にプラグ本体１（例えば前記ブーツ１９側：図６参照）が通された状態で保持させるようになっている。
【００４８】
また、前記各アーム５の先端には、既述した前記カップリング１３後端の係止孔１３ａに係脱可能に係止するための係止部５ａと、アダプタ２１に係脱自在に係合させるために各アーム５の途中に所定の距離をおいて後方に形成された押圧部６とを具備している。具体的には、各アーム５先端の係止部５ａは、左右上下のアーム５先端に互いに外向きに向けた状態で形成された係止爪５ｃからなる。また、各アーム５の押圧部６は、先端がプラグ本体１の前記カップリング１３以外の部位に突き当たり押圧可能な垂直の押圧突起６ａにて形成されている。一方、前記カップリング１３後端の係止孔１３ａは、挿入方向に長い矩形状の角孔となっており、当該カップリング１３後端の上下両側に各２個ずつ計４個設けられている。そして、各係止孔１３ａの長手方向の大きさは、カップリング１３内側の部位に押圧部６の押圧突起６ａを突き当てることができる程度の長さを有している。
【００４９】
前記係止部５ａは、前記カップリング１３の後端に押圧し、当該カップリング１３を前進後、カップリング１３内側から前記係止孔１３ａに係脱可能に係止する。また、押圧部６は、前記カップリング１３を除くプラグ本体１の後部（例えば前記図１７に示すハウジング１８またはスプリングプッシュ１１側）に押圧し、該プラグ本体１を前進後、アダプタ２１に係脱自在に係合させる。このように、把持部材４の進退に伴う操作部材３の操作によってカップリング１３がハウジング１８に対し前進又は後退するとともに、プラグ本体１を前方に押圧又は後方に押圧を解除する。
【００５０】
ところで、前記操作部材３において図示例の係止部５ａと押圧部６とは以下のように構成されている。
先端に係止爪５ｂを有する長尺なアーム５からなる係止部５ａは内側に各配置される一方、押圧部６は前記係止部５ａの外側に各配置される。このとき、前記操作部材３の上方部位に位置する押圧部６は同じく上方部位に位置する係止部５ａの外面にやや段差を置いて低位置に一体に並設される。一方、前記操作部材３の下方部位に位置する押圧部６は同じく上方部位に位置する係止部５ａの外面にやや段差をおいて高位置に一体に並設される。
【００５１】
しかしながら、前記操作部材５の係止部５ａと押圧部６とは、前記構成に限られるものではなく、例えばプラグ本体１を光アダプタ２１に挿脱できる機能を有するものであれば、両者が平行状態で並設したものであっても良く、また、係止部５ａの下部に押圧部６を形成したものであっても良い。
【００５２】
＜光コネクタプラグの構成＞
次に、本発明に係るタブ２が装着されるプラグ本体１の構成について説明すると、該プラグ本体１は、ＭＰＯ型のプッシュプル方式によって構成されている。すなわち、前記プラグ本体１は、図１７（ａ）、（ｂ）に示すように、多心光ファイバコードＦＴの先端に取り付けられたフェルール１２と、このフェルール１２を先端に収納したスリーブ状のハウジング１８と、前記ハウジング１８に対してその軸線（前後）方向に確保した可動範囲でスライド移動可能に設けられた筒状のカップリング１３と、前記ハウジング１８内部に収納され前記フェルール１２を光コネクタ前側へ弾性付勢するスプリング１５と、前記カップリング１３と前記ハウジング１８との間においてハウジング１８側に設けられた凹部１７に収納され当該カップリング１３を前記ハウジング１８前部側へ弾性付勢するスプリング１６と、前記ハウジング１８の前記フェルール１２が設けられている前端とは反対の後端部内側に内挿されたスプリングプッシュ１１と、前記スプリングプッシュ１１に外挿されたブーツ１９とを具備している。
【００５３】
さらに、図１７（ｂ）に示すように、前記アダプタ２１へ接続されるプラグ本体１は、その外面に前後摺動自在に取付けられたカップリング１３が前方へスライド（前進）することによって当該アダプタ２１の左右内壁に開口側に向けて対向突設した弾性係止部２２によって係止されているハウジング１８を抜去不能に保持し、カップリング１３を後方へスライド（後退）させることでアダプタ２１の弾性係止部２２に対するハウジング１８の係止が外れ、プラグ本体１をアダプタ２１から抜去するものである。
【００５４】
なお、図６、図８、図１０、図１１（ｂ）、図１２（ｂ）、図１３（ｂ）、図１４（ｂ）中の符号Ｇは、フェルール１２に挿入したガイドピンであり、不図示の相手側フェルールのガイドピン孔に嵌合して当該フェルール１２の位置決め（光軸の心合わせ）が行われる。
【００５５】
＜タブの変形例＞
図７乃至図９は、本発明に係るタブ２の変形例を示すものである。なお、上記した本実施形態におけるタブ２の構成と同じ部分には同一の符号を付すのみで、その詳細な説明は省略もしくは簡略化する。
【００５６】
すなわち、本変形例では、図７及び図８に示すように、前記操作部材３は、細長板状の長尺な中間部材４ｄを介して、前記把持部材４の先端に略への字形状となって折曲延接されている。そして、前記同様、操作部材３を把持部材４（中間部材４ｄ）に対して下位置に配置し、且つ前記把持部材４の下方には、前記操作部材３先端に取り付けられた前記プラグ本体１の多心光ファイバコードＦＴが前記把持部材４まで直線状に保持できるよう湾曲状の保持部４１を形成している。
【００５７】
而して、本変形例では、多心光ファイバコードＦＴの曲がり方向に追従できるものとしている。例えば、図９に示すように、中間部材４ｄ内部に例えば針金等の折曲調整材４２を挿入することで多心光ファイバコードＦＴの曲がり方向を自在にコントロールできるようにしている。この場合、ＭＰＯプラグに限定されず、例えばＬＣ、ＳＣ等のプラグにも適用可能である。
【００５８】
尚、本変形例では、前記操作部材３の各アーム５には先端に係止部５ａとして係止爪５ｂが形成され、その後方位置に押圧部６として押圧突起６ａ（但し本例では先端が丸形）が一体に並設されている構成は前記図示の実施形態と同様である。
【００５９】
次に、以上のように構成された形態についての使用及び動作の一例について、図１０乃至図１５及び１７（ａ）、（ｂ）を参照して詳細に説明する。なお、この際、タブ２はプラグ本体１のブーツ１９側に予め装着されているものとして説明する。
【００６０】
図１０に示すように、先ずタブ２のアーム５先端に設けられた係止部５ａ（係止爪５ｂ）端をプラグ本体１のカップリング１３後端へ突き当てる。
【００６１】
次いで、図１１に示すように、タブ２を装着したプラグ本体１をアダプタ２１内部に挿入する。このとき、タブ２の先端に設けられた係止部５ａの係止爪５ｂは、前記カップリング１３の後端に押圧して当該カップリング１３を前進させた後に、カップリング１３内側から係止孔１３ａに係入する。また、前記押圧部６の押圧突起６ａは、前記カップリング１３を除くプラグ本体１の後部（例えば前記図１７に示すハウジング１８またはスプリングプッシュ１１側等）に押圧する。
【００６２】
すなわち、図１３に示すように、タブ２の押圧部６の押圧突起６ａをプラグ本体１の後端（カップリング１３には触れない）に突き当て、アダプタ２１にプラグ本体１を係合装着する。一方、図１２に示すように、プラグ本体１をアダプタ２１から引き抜く際には、タブ２の係止部５ａの係止爪５ｂをカップリング１３の係止孔１３ａの後端内側に突き当て、タブ２を後方に引き抜く。
【００６３】
このとき、タブ２の引き抜きによって、カップリング１３は強制的に後退移動（前記カップリング１３を後方へスライド）させられ、アダプタ２１の弾性係止部２２の係止突起２２ａが係合されている状態の引っ掛かり部３１ａが露出され、この状態でタブ２をプラグ本体１とともに強制的に引き抜くことで、前記引っ掛かり部３１ａに係合されていた弾性係止部２２の係止突起２２ａは係止凸部３１を乗り越えて解放される。その後、前記カップリング１３はフリー状態となるため前記スプリング１６によって前方へスライド復帰する（図１７（ｂ）参照）。
【００６４】
なお、図１４に示すように、プラグ本体１をアダプタ２１から引き抜いたときには、タブ２の押圧部６の後方へ押圧突起６ａの位置は前記カップリング１３を除くプラグ本体１の後部から離れる。
【００６５】
以上、説明したように、本実施形態では、タブ２のプル＆プッシュ操作によって、プラグ本体１のアダプタ２１に対する挿入乃至抜去が行われる。従って、図１５に示すように、各種のデータセンタ等の通信装置の高密度化において、スペースを有効活用でき且つ低コストとなるとともに、前記カップリング１３に対する取付力が十分に確保され、さらに挿脱時のタブ２の傾きを防止できて当該カップリング１３に対するバランスの良い着脱が可能となる。
【符号の説明】
【００６６】
ＦＴ    多心光ファイバコード
Ｇ      ガイドピン
１      プラグ本体
２      タブ
３      操作部材
４      把持部材
４ａ    指摘み部
４ｂ    シール貼り付け部
４ｃ    紐通し穴
４ｄ    中間部材
５      アーム
５ａ    係止部
５ｂ    係止爪
６      押圧部
６ａ    押圧突起
７ａ    上側の凹湾部
７ｂ    左右側の凹湾部
８ａ    上側テーパ面
８ｂ    下側テーパ面
９      挿通部
１１    スプリングプッシュ
１２    フェルール
１３    カップリング
１３ａ  係止孔
１３ｂ  ストッパ
１５    スプリング
１６    スプリング
１７    凹部
１８    ハウジング
１８ａ  係止突部
１９    ブーツ
２１    アダプタ
２２    弾性係止部
２２ａ  係止突起
２２ｂ  空間
３１    係止凸部
３１ａ  引っ掛かり部
４１    保持部
４２    折曲調整材
【図１】
2019053123.tif 000003
【図２】
2019053123.tif 000004
【図３】
2019053123.tif 000005
【図４】
2019053123.tif 000006
【図５】
2019053123.tif 000007
【図６】
2019053123.tif 000008
【図７】
2019053123.tif 000009
【図８】
2019053123.tif 000010
【図９】
2019053123.tif 000011
【図１０】
2019053123.tif 000012
【図１１】
2019053123.tif 000013
【図１２】
2019053123.tif 000014
【図１３】
2019053123.tif 000015
【図１４】
2019053123.tif 000016
【図１５】
2019053123.tif 000017
【図１６】
2019053123.tif 000018
【図１７】
2019053123.tif 000019